【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
調整対象の衣服の形状を示す形状データに基づいて衣服画像を表示部に表示させる画像表示処理部と、
前記衣服の形状を調整するための予め定められた複数の調整項目の中からユーザ操作に応じて調整対象項目を選択する項目選択処理部と、
前記調整対象項目の値をユーザ操作に応じて変更する値変更処理部と、
前記値変更処理部による変更後の前記調整対象項目の値に応じて前記形状データを変更する形状変更処理部と、
前記形状変更処理部による変更後の前記形状データに基づいて前記衣服画像を更新する画像更新処理部と、
を備える衣服設計支援装置。
【請求項２】
前記値変更処理部により前記調整対象項目の値が変更されたことに応じて、前記複数の調整項目のうちの前記調整対象項目に関連する一又は複数の関連調整項目に関する助言情報を提供する案内処理部を備える、
請求項１に記載の衣服設計支援装置。
【請求項３】
前記画像表示処理部は、前記衣服を示す３次元モデルを前記衣服画像として表示させると共に、前記調整項目に対応する操作対象画像を前記調整項目に対応する前記３次元モデル上の位置に表示させ、
前記値変更処理部は、前記調整対象項目に対応する前記操作対象画像に対する操作に応じて前記調整対象項目の値を変更する、
請求項２に記載の衣服設計支援装置。
【請求項４】
前記値変更処理部は、前記調整対象項目に対応する前記操作対象画像に対するドラッグ操作に応じて前記調整対象項目の値を変更する、
請求項３に記載の衣服設計支援装置。
【請求項５】
前記案内処理部は、前記助言情報として、前記関連調整項目の値を変更するか否かをユーザに問い合わせる確認メッセージを提供する、
請求項２〜４のいずれかに記載の衣服設計支援装置。
【請求項６】
前記項目選択処理部は、前記確認メッセージに対して前記関連調整項目の値を変更する旨の回答が入力されたことに応じて、前記関連調整項目を次の調整対象項目として自動的に選択する、
請求項５に記載の衣服設計支援装置。
【請求項７】
前記案内処理部は、前記調整対象項目ごとに予め登録された、美的観点からの助言メッセージを含む前記助言情報を提供する、
請求項２〜６のいずれかに記載の衣服設計支援装置。
【請求項８】
前記衣服は、互いに縫合される複数のパーツから構成される衣服であり、
前記調整対象項目に関連する前記関連調整項目には、前記調整対象項目に対応するパーツとは異なるパーツに対応する調整項目が含まれる、
請求項２〜７のいずれかに記載の衣服設計支援装置。
【請求項９】
前記案内処理部は、前記値変更処理部による変更後の前記調整対象項目の値に応じて異なる前記助言情報を提供する、
請求項２〜８のいずれかに記載の衣服設計支援装置。
【請求項１０】
前記案内処理部は、前記値変更処理部による変更後の前記調整対象項目の値に応じて、前記関連調整項目の値の推奨値又は推奨範囲を前記助言情報として提供する、
請求項９に記載の衣服設計支援装置。
【請求項１１】
前記案内処理部は、前記調整対象項目と前記関連調整項目との対応関係を示す対応関係情報に基づいて、前記調整対象項目に関連する前記関連調整項目を判断する、
請求項２〜１０のいずれかに記載の衣服設計支援装置。
【請求項１２】
前記値変更処理部によって前記複数の調整項目の値が変更された順番を示す調整履歴情報を記録する履歴記録処理部を更に備え、
前記案内処理部は、前記調整履歴情報に基づいて、前記調整対象項目に関連する前記関連調整項目を判断する、
請求項２〜１０のいずれかに記載の衣服設計支援装置。
【請求項１３】
動作モードを設定する設定処理部を更に備え、
前記項目選択処理部は、前記設定処理部により設定される動作モードに応じて、前記調整対象項目として選択可能な調整項目を変化させる、
請求項２〜１２のいずれかに記載の衣服設計支援装置。
【請求項１４】
動作モードを設定する設定処理部を更に備え、
前記値変更処理部は、前記設定処理部により設定される動作モードに応じて、前記調整対象項目の値の調整可能範囲を変化させる、
請求項２〜１２のいずれかに記載の衣服設計支援装置。
【請求項１５】
動作モードを設定する設定処理部を更に備え、
前記案内処理部は、前記設定処理部により設定される動作モードに応じて、前記表示部に表示される前記助言情報を変化させる、
請求項２〜１２のいずれかに記載の衣服設計支援装置。
【請求項１６】
前記設定処理部は、操作者の設計能力のレベルに応じて動作モードを設定する、
請求項１３〜１５のいずれかに記載の衣服設計支援装置。
【請求項１７】
前記設定処理部は、衣服の設計の種類に応じて動作モードを設定する、
請求項１３〜１５のいずれかに記載の衣服設計支援装置。
【請求項１８】
前記案内処理部は、衣服の形状の調整に関する調整履歴データに基づくディープラーニング又は機械学習の結果に基づいて前記助言情報を生成する、
請求項２〜１７のいずれかに記載の衣服設計支援装置。
【請求項１９】
前記助言情報は、前記ディープラーニング若しくは前記機械学習の結果に基づいて算出される前記調整対象項目の推奨値に関する情報、又は前記調整履歴データに基づいて着用者の好みの情報が反映された助言メッセージである、
請求項１８に記載の衣服設計支援装置。
【請求項２０】
前記衣服は、互いに縫合される複数のパーツから構成される衣服であり、
前記形状データは、前記パーツ各々の形状を示す型紙データである、
請求項１〜１８のいずれかに記載の衣服設計支援装置。
【請求項２１】
前記型紙データに基づいて前記衣服を示す３次元モデルを生成する衣服モデル生成処理部を更に備え、
前記画像表示処理部は、前記衣服モデル生成処理部によって生成された前記３次元モデルを前記衣服画像として表示させる、
請求項２０に記載の衣服設計支援装置。
【請求項２２】
前記衣服は、互いに縫合される複数のパーツから構成される衣服であり、
前記形状データは、前記複数のパーツが縫合された状態の前記衣服の３次元的な形状を示す３次元モデルデータであり、
前記衣服設計支援装置は、前記形状変更処理部による変更後の前記形状データに基づいて、前記パーツ各々の形状を示す型紙データを生成する型紙生成処理部を更に備える、
請求項１〜１９のいずれかに記載の衣服設計支援装置。
【請求項２３】
前記画像表示処理部は、前記衣服を示す３次元モデルを、人体を示す３次元モデルに着装させた状態で、前記衣服画像として表示させる、
請求項１〜２２のいずれかに記載の衣服設計支援装置。
【請求項２４】
前記衣服を着用する着用者の体形を３次元的に計測することによって得られた体形データに基づいて、前記人体を示す３次元モデルを生成する人体モデル生成処理部を更に備える、
請求項２３に記載の衣服設計支援装置。
【請求項２５】
サイズ及びスタイルの少なくとも一方が異なる複数の標準形状データの中から１つの標準形状データを前記形状データとして選択する初期形状選択処理部を更に備える、
請求項１〜２４のいずれかに記載の衣服設計支援装置。
【請求項２６】
前記初期形状選択処理部は、前記衣服を着用する着用者の体形を示す体形データと、衣服のゆとりに関する前記着用者の好みとに基づいて、前記複数の標準形状データの中から前記形状データを自動的に選択する、
請求項２５に記載の衣服設計支援装置。
【請求項２７】
コンピュータに、
調整対象の衣服の形状を示す形状データに基づいて衣服画像を表示部に表示させることと、
前記衣服の形状を調整するための予め定められた複数の調整項目の中からユーザ操作に応じて調整対象項目を選択することと、
前記調整対象項目の値をユーザ操作に応じて変更することと、
変更後の前記調整対象項目の値に応じて前記形状データを変更することと、
変更後の前記形状データに基づいて前記衣服画像を更新することと、
を実行させる衣服設計支援プログラム。
【請求項２８】
前記衣服を着用する着用者の体形を３次元的に計測することによって得られた体形データに基づいて、人体を示す３次元モデルを生成することを前記コンピュータに更に実行させ、
前記衣服を示す３次元モデルが、人体を示す３次元モデルに着装させた状態で、前記衣服画像として表示される、
請求項２７に記載の衣服設計支援プログラム。
【請求項２９】
調整対象の衣服の形状を示す形状データに基づいて衣服画像を表示部に表示させる画像表示処理部と、
前記衣服の形状を調整するための予め定められた複数の調整項目の中からユーザ操作に応じて調整対象項目を選択する項目選択処理部と、
前記調整対象項目の値をユーザ操作に応じて変更する値変更処理部と、
前記値変更処理部による変更後の前記調整対象項目の値に応じて前記形状データを変更する形状変更処理部と、
前記形状変更処理部による変更後の前記形状データに基づいて前記衣服画像を更新する画像更新処理部と、
を備える衣服設計支援システム。
【請求項３０】
前記衣服を着用する着用者の体形を３次元的に計測することによって得られた体形データに基づいて、人体を示す３次元モデルを生成する人体モデル生成処理部を更に備え、
前記画像表示処理部は、前記衣服を示す３次元モデルを、前記人体を示す３次元モデルに着装させた状態で、前記衣服画像として表示させる、
請求項２９に記載の衣服設計支援システム。
【請求項３１】
調整対象の衣服の形状を示す形状データに基づいて衣服画像を表示部に表示させることと、
前記衣服の形状を調整するための予め定められた複数の調整項目の中からユーザ操作に応じて調整対象項目を選択することと、
前記調整対象項目の値をユーザ操作に応じて変更することと、
変更後の前記調整対象項目の値に応じて前記形状データを変更することと、
変更後の前記形状データに基づいて前記衣服画像を更新することと、
を含む衣服設計支援方法。
【請求項３２】
前記衣服を着用する着用者の体形を３次元的に計測することによって得られた体形データに基づいて、人体を示す３次元モデルを生成することを更に含み、
前記衣服を示す３次元モデルが、人体を示す３次元モデルに着装させた状態で、前記衣服画像として表示される、
請求項３１に記載の衣服設計支援方法。
【請求項３３】
衣服の着用者の体形を示す体形情報を取得することと、
請求項１〜２６のいずれかに記載の衣服設計支援装置を用いて、調整対象の衣服の形状を示す形状データを前記体形情報に基づいて変更することと、
前記形状データに基づいて型紙又は型紙データを生成することと、
前記型紙又は前記型紙データに基づいて衣服を製造することと、
を含む衣服製造方法。